【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
断面形状が台形のレンズ部が所定の間隔で配列されるとともに、隣り合う前記レンズ部間の楔形部は、前記レンズ部と、同一又は異なる材料が充填され、
前記楔形部は観察者側に先端を有するとともに映像側に底面を有し、さらに少なくともその斜面部分を構成する材料の屈折率Ｎｘと、前記レンズ部を構成する材料の屈折率Ｎｙとの間に
Ｎｘ≦Ｎｙ
なる関係が成立することを特徴とする視野角制御シート。
【請求項２】
前記斜面部分が出光面の法線となす角度が５〜２０度であることを特徴とする請求項１に記載の視野角制御シート。
【請求項３】
前記レンズ部の前記配列のピッチが５０μｍであることを特徴とする請求項１又は２に記載の視野角制御シート。
【請求項４】
前記レンズ部の前記映像側の長さが前記ピッチの５０％であることを特徴とする請求項３に記載の視野角制御シート。
【請求項５】
前記楔形部の断面形状は略二等辺三角形であることを特徴とする請求項１〜４のいずれか１項に記載の視野角制御シート。
【請求項６】
前記斜面部分が、観察者側面となす角が映像側と観察者側とで異なるように、曲線、及び又は折れ線状の断面形状を持つことを特徴とする請求項１〜５のいずれか１項に記載の視野角制御シート。
【請求項７】
前記斜面部分の前記曲線、及び又は折れ線状の断面形状が、前記レンズ部が凸状であることにより形成されることを特徴とする請求項６に記載の視野角制御シート。
【請求項８】
前記折れ線状の断面形状が、異なる角度を有する２辺により形成されることを特徴とする請求項６又は７に記載の視野角制御シート。
【請求項９】
前記楔形部の材料の屈折率が前記レンズ部の材料の屈折率に対して、０．９８倍〜０．８倍であることを特徴とする請求項１〜８のいずれか１項に記載の視野角制御シート。
【請求項１０】
前記楔形部に光吸収効果があることを特徴とする請求項１〜９のいずれか１項に記載の視野角制御シート。
【請求項１１】
前記楔形部に光吸収粒子が添加されていることを特徴とする請求項１〜１０のいずれか１項に記載の視野角制御シート。
【請求項１２】
前記光吸収粒子の平均粒径が１μｍ以上で、前記底面幅長の２／３以下であることを特徴とする請求項１１に記載の視野角制御シート。
【請求項１３】
前記光吸収粒子の添加量が１０〜５０体積％であることを特徴とする請求項１１又は１２に記載の視野角制御シート。
【請求項１４】
請求項１〜１３のいずれか１項に記載の視野角制御シートが映像源の観察者側に１枚、又は略直交して２枚積層されていることを特徴とする視野角制御シート。
【請求項１５】
少なくとも一面側に、ＡＲ、ＡＳ、ＡＧ、タッチセンサーのうちのいずれか、又はこれらの内複数の付加機能が付与されていることを特徴とする請求項１〜１４のいずれか１項に記載の視野角制御シート。
【請求項１６】
請求項１〜１５のいずれか１項に記載の視野角制御シートが接着されていることを特徴とする表示装置。
【請求項１７】
前記底面幅長は、一画素の大きさの１／１．５以下であることを特徴とする請求項１６に記載の表示装置。
【手続補正２】
【補正対象書類名】明細書
【補正対象項目名】０００８
【補正方法】変更
【補正の内容】
【０００８】
請求項２の発明は、請求項１に記載の視野角制御シートにおいて、斜面部分が出光面の法線となす角度が５〜２０度であることを特徴とする。
請求項３の発明は、請求項１又は２に記載の視野角制御シートにおいて、レンズ部の配列のピッチが５０μｍであることを特徴とする。
請求項４の発明は、請求項３に記載の視野角制御シートにおいて、レンズ部の映像側の長さがピッチの５０％であることを特徴とする。
【手続補正３】
【補正対象書類名】明細書
【補正対象項目名】０００９
【補正方法】変更
【補正の内容】
【０００９】
請求項５の発明は、請求項１〜４のいずれか１項に記載の視野角制御シートにおいて、楔形部の断面形状は略二等辺三角形であることを特徴とする。
【手続補正４】
【補正対象書類名】明細書
【補正対象項目名】００１０
【補正方法】変更
【補正の内容】
【００１０】
請求項６の発明は、請求項１〜５のいずれか１項に記載の視野角制御シートにおいて、斜面部分が、観察者側面となす角が映像側と観察者側とで異なるように、曲線、及び又は折れ線状の断面形状を持つことを特徴とする。
請求項７の発明は、請求項６に記載の視野角制御シートにおいて、斜面部分の曲線、及び又は折れ線状の断面形状が、レンズ部が凸状であることにより形成されることを特徴とする。
請求項８の発明は、請求項６又は７に記載の視野角制御シートにおいて、折れ線状の断面形状が、異なる角度を有する２辺により形成されることを特徴とする。
【手続補正５】
【補正対象書類名】明細書
【補正対象項目名】００１１
【補正方法】変更
【補正の内容】
【００１１】
請求項９の発明は、請求項１〜８のいずれか１項に記載の視野角制御シートにおいて、楔形部の材料の屈折率が前記レンズ部の材料の屈折率に対して、０．９８倍〜０．８倍であることを特徴とする。
【手続補正６】
【補正対象書類名】明細書
【補正対象項目名】００１２
【補正方法】変更
【補正の内容】
【００１２】
請求項１０の発明は、請求項１〜９のいずれか１項に記載の視野角制御シートにおいて、楔形部に光吸収効果があることを特徴とする。
【手続補正７】
【補正対象書類名】明細書
【補正対象項目名】００１３
【補正方法】変更
【補正の内容】
【００１３】
請求項１１の発明は、請求項１〜１０のいずれか１項に記載の視野角制御シートにおいて、楔形部に光吸収粒子が添加されていることを特徴とする。
【手続補正８】
【補正対象書類名】明細書
【補正対象項目名】００１４
【補正方法】変更
【補正の内容】
【００１４】
請求項１２の発明は、請求項１１に記載の視野角制御シートにおいて、光吸収粒子の平均粒径が１μｍ以上で、底面幅長の２／３以下であることを特徴とする。
【手続補正９】
【補正対象書類名】明細書
【補正対象項目名】００１５
【補正方法】変更
【補正の内容】
【００１５】
請求項１３の発明は、請求項１１又は１２に記載の視野角制御シートにおいて、光吸収粒子の添加量が１０〜５０体積％であることを特徴とする。
【手続補正１０】
【補正対象書類名】明細書
【補正対象項目名】００１６
【補正方法】変更
【補正の内容】
【００１６】
請求項１４の発明は、請求項１〜１３のいずれか１項に記載の視野角制限シートが映像源の観察者側に１枚、又は略直交して２枚積層されていることを特徴とする視野角制御シートにより前記課題を解決するものである。
【手続補正１１】
【補正対象書類名】明細書
【補正対象項目名】００１７
【補正方法】変更
【補正の内容】
【００１７】
請求項１５の発明は、請求項１〜１４のいずれか１項に記載の視野角制御シートにおいて、少なくとも一面側に、ＡＲ、ＡＳ、ＡＧ、タッチセンサーのうちのいずれか、又はこれらの内複数の付加機能が付与されていることを特徴とする。
【手続補正１２】
【補正対象書類名】明細書
【補正対象項目名】００１８
【補正方法】変更
【補正の内容】
【００１８】
請求項１６の発明は、請求項１〜１５のいずれか１項に記載の視野角制御シートが接着されていることを特徴とするディスプレイにより前記課題を解決するものである。
【手続補正１３】
【補正対象書類名】明細書
【補正対象項目名】００１９
【補正方法】変更
【補正の内容】
【００１９】
請求項１７の発明は、請求項１６に記載のディスプレイにおいて、底面幅長は、一画素の大きさの１／１．５以下であることを特徴とする。